(57)【要約】      （修正有）【課題】保温性、通気性が良く、バックパック機能を選択的に付加することができ、さらに汚れた部分のみを取り外して洗濯できるベビーキャリアを提供する。【解決手段】通気性を持つ二重の背当て部１０と、背当て部の下部に結合される尻受け部３０と、一端は背当て部の両側に結合され、他端は尻受け部の両側に結合される一対のショルダーベルト２０と、背当て部に取り外し可能に設けられる背当て板とを含むことを特徴とする。【選択図】図１
2005193025.tif 000002
【特許請求の範囲】
【請求項１】
通気性を持つ背当て部と、
前記背当て部の下部に結合される尻受け部と、
それぞれの一端が前記背当て部の両側に結合され、それぞれの他端が前記尻受け部の両側に結合された一対のショルダーベルトと、
前記背当て部に取り外し可能に設けられる背当て板と、
を備えたことを特徴とするベビーキャリア。
【請求項２】
前記背当て部は二重構造の柔軟性を有する通気性平板で構成され、前記背当て板は背当て部の二重構造平板の間に収納されることを特徴とする請求項１記載のベビーキャリア。
【請求項３】
前記背当て部の裏面を覆うように、取り外し可能に設けられる裏面遮断ユニットを備えたことを特徴とする請求項１記載のベビーキャリア。
【請求項４】
前記背当て部の裏面を覆うように、取り外し可能に設けられ、物品を受納できる受納ユニットを備えたことを特徴とする、請求項１、２または３記載のベビーキャリア。
【発明の詳細な説明】
【技術分野】
【０００１】
本発明は保護者が乳幼児を背負う場合に使用するベビーキャリアに関するものである。
【背景技術】
【０００２】
従来、保護者が乳幼児を背負う場合に使用されるベビーキャリアは、殆ど、保護者と乳幼児がともに覆われる大きさの布に掛け紐を取付けた形態のものである。
しかし、このようなベビーキャリアは、初めてこれを使用する人には不便であり、乳幼児の安全上の問題もあるため、保護者と乳幼児が楽に使用できる多様な形態のベビーキャリアが多数提案されている。
【０００３】
最近、椅子の形状をしたものとして、背当て部と、その下部に連結している尻受けユニットと、両側に雌雄のホルダーを有するショルダーベルトとからなるベビーキャリアが提供されている。このベビーキャリアであれば、初めて使用する人でも容易に乳幼児を背負うことができ、また、両手を自由に使用することが出来る。
また、乳幼児を背負って出掛けるとき、別のバックを持たなくても、乳幼児用品を携帯できるバックパック付きベビーキャリアも提供されている。
【特許文献１】大韓民国実用新案登録第０３３２２０１号公報
【特許文献２】大韓民国実用新案登録第０２１２０６１号公報
【発明の開示】
【発明が解決しようとする課題】
【０００４】
しかしながら、上記のような構成のベビーキャリアは、一般的に背当て部は布からなるため、通気性が良くない上に冬には保温性もそれほど良くないという問題点がある。乳幼児の皮膚はやわらかくて夏には汗疹ができる恐れが多く、また、免疫性も弱いことから冬には保温に気を付けなければならない。したがって、夏には通気性が良いものを、冬には保温性の良いものを用いることが良い。
【０００５】
これに対する解決策として、薄布を適用したキャリアと厚布を適用したキャリアとを別に購入することもできるが、購入費用が高くなり、核家族化に伴って再使用の機会が少ない現代には、乳幼児の成長によって長期間使用しないキャリアを複数個購入することは非効率的である。
また、乳幼児を背負って出掛けるとき、保護者は各種の乳幼児用品を所持する場合があるが、別のバックを持つと、保護者の活動が不自由になるという問題がある。これを解決したものとして、上述のバックパック付きベビーキャリアが提案されているが、バックパック付きベビーキャリアは、バックパックを設けるので美観上好ましくない上に大型化する問題もあり、さらに、バックパックを必要としない場合も有るので、使い勝手の悪いものである。
【０００６】
さらに、従来のベビーキャリアは、部分的に汚れた場合にも全体を洗濯しなければならないため、作業が面倒であるという問題点もある。
本発明の目的は、上記問題点を解決したベビーキャリアを提供することにあり、季節に関係なく使用できるベビーキャリアを提供すること、また、バックパック機能を選択的に付加できるベビーキャリアを提供すること、さらには汚れた部分のみを取り外して洗濯できるベビーキャリアを提供することにある。
【０００７】
本発明の目的、特徴及び利点は、後述する好適な実施例により明らかになるであろう。
【課題を解決するための手段】
【０００８】
本発明のベビーキャリアは、通気性を持つ背当て部と、前記背当て部の下部に結合される尻受け部と、それぞれの一端が前記背当て部の両側に結合され、それぞれの他端が前記尻受け部の両側に結合された一対のショルダーベルトと、前記背当て部に取り外し可能に設けられる背当て板とを備えたことを特徴とする。
また、前記背当て部は柔軟性を有する二重構造の通気性平板で構成され、前記背当て板は背当て部の二重構造平板の間に収納されることを特徴とする。
【０００９】
また、前記背当て部の裏面を覆うように、取り外し可能に設けられる裏面遮断ユニットを備えたことを特徴とする。
さらに、前記背当て部の裏面を覆うように、取り外し可能に設けられ、物品を受納できる受納ユニットを備えたことを特徴とする。
【発明の効果】
【００１０】
本発明に係るベビーキャリアは、通気性を有する背当て部を基本構成にしてあるため、夏に乳幼児に湿疹ができることが無く、背当て部に背当て板を取り付けられるようにしたので寒くなればこれによって寒さを防ぐことができる。背当て部を柔軟性を有する二重構造の通気性平板で構成し、その間に背当て板を挿入する構成としたので、背当て板の取り付け取り外しは容易である。また、裏面遮断ユニットも取り付けられるようにしたので、より保温状態は良くなる。このように、季節別に適切に切換えて使用でき、また、一つのベビーキャリアで４季節使用が可能なので、費用節減の効果がある。
【００１１】
また、受納ユニットも着脱自在としたので、必要に応じ取り付けて、乳幼児用品を持参することができる。
さらに、受納ユニット、背当て板、裏面遮断ユニットは、着脱自在になされているので、汚染部分のみを取り外して洗濯ができる。
【発明を実施するための最良の形態】
【００１２】
以下、添付図面に基づき、本発明の好適な実施例を詳細に説明する。
図１は本発明に係るベビーキャリアの裏面を示す斜視図、図２は本発明に係るベビーキャリアの前面を示す斜視図、図３は本発明に係るベビーキャリアを示す分解斜視図である。
本発明の一実施例に係るベビーキャリアは、図１，２，３に示すように、通気性を持つ二重の背当て部１０と、背当て部１０の両側に固定されるショルダーベルト２０と、背当て部１０の下部に結合され、両側がショルダーベルト２０と取り外し可能に設けられる尻受け部３０と、二重の背当て部１０に受納される背当て板６０とを含む。
【００１３】
また、背当て部１０の上部には頭部保持部４０が背当て部１０と一体に形成され、頭部保持部４０は堅い材質で構成され、折りたたみ自在に形成されている。そして、結合部４１により背当て部１０と結合される。
図３に示すように、補助頭部保持部８０が独立して設けられ、その両端をショルダーベルト２０に取り外し可能に固定することができる。また、図１に示すように裏面遮断ユニット１５が独立して設けられ、これを背当て部１０の裏面に取り外し可能に結合することができる。さらに、図２に示すように前面遮断ユニット１６が独立して設けられ、これを背当て部１０の前面に取り外し可能に結合することができる。
【００１４】
また、裏面遮断ユニット１５の代りに、受納ユニット７０が独立して設けられ、これを背当て部１０の裏面に取り外し可能に結合することができる。
次に、各構成部分の詳細な構造及び機能について説明する。
背当て部１０は乳幼児の背中を保持するもので、柔軟性を有する通気性を持つ二重平板で形成されている。一例として、背当て部１０の部材としてメッシュ状の布を利用することができる。
【００１５】
図３に示すように、背当て部１０はニ重構造になっているため、その上部には背当て板６０を挿入するための開口部１２が形成されている。そして、開口部１２を除いた裏面端部には収納ユニット７０または裏面遮断ユニット１５を装着するための装着ジッパー１１が形成されている。
また、図２に示すように、背当て部１０の前面端部にはボタン(図示せず)が形成され、前面遮断ユニット１６が取り外し可能に結合されるよう構成されている。背当て部１０の上部には頭部保持部４０が折り畳まれた状態で一体に形成され、折り畳まれた部分の内側にはベルクロテープ（オランダ国ベルクロ社の登録商標、フックとループによるファスナー）４１（図１参照）が取付けられ、外側には結合ボタン(図示せず)が装着されている。
【００１６】
背当て板６０を取付ける場合、頭部保持部４０を折り返し、背当て板６０を２重構造の背当て部１０に挿入した後、頭部保持部４０と背当て部１０とを結合部、例えば、ベルクロテープ４１、1３を利用して結合する。
ショルダーベルト２０は、保護者が両肩に着用可能であるように一対形成され、夫々の一端は背当て部１０の両側に各々連結され、他端は尻受け部３０の両側に各々取り外し可能に連結され、長さは調節自在に形成されている。
【００１７】
また、ショルダーベルト２０の上部には、補助頭部保持部８０の両端を固定するための複数個の連結リング２１が形成されている。そして、中央部にはショルダーベルト２０に取り外し可能に各々連結された第１補助ベルト２２、２３が設けられ、ショルダーベルト２０が外れるのを防止している。
尻受け部３０は、背当て部１０の下部に前面に向けて垂直に形成されて乳幼児の尻を保持する。また、図３に示すように、尻受け部３０の下部に第２補助ベルト９０が結合されていて、その両端がショルダーベルト２０の下部に各々取り外し可能に結合されて、尻受け部３０を保持している。
【００１８】
補助頭部保持部８０は乳幼児の頭部を保持するもので、乳幼児の頭部を保護するためにクッション材質で形成されている。補助頭部保持部８０は、その両端がショルダーベルト２０の連結リング２１に連結されてボタン８１により固定され、その中央部のボタン８２は頭部保持部４０の結合ボタンと結合される。必要に応じて、頭部保持部４０を形成することなく、補助頭部保持部８０を頭部保持部として利用することもできる。
【００１９】
一方、乳幼児の口と主に接触するショルダーベルト２０の両側上部には、唾受け部材５０が独立して設けられ、これはショルダーベルト２０を囲むようにベルクロテープ５１により取り外し可能に装着される。唾受け部材５０は汚れやすいので、洗濯が容易な素材を使用することが好ましい。
裏面遮断ユニット１５は、背当て部１０の通気部分に対応する大きさを有し、上部を除いた端部に沿ってジッパー１５ａが形成され、裏面にベルクロテープ１５ｂが装着されている。
【００２０】
従って、裏面遮断ユニット１５を背当て部１０に取付ける場合、頭部保持部４０を折り返し、裏面遮断ユニット１５の端部に形成されたジッパー１５ａと装着ジッパー１１とを結合した後、頭部保持部４０と裏面遮断ユニット１５との結合部、例えば、ベルクロテープ４１、１５ｂを利用して結合する。
また、受納ユニット７０は、背当て部１０の裏面に着脱自在に装着されて、物品を受納できる収容空間が形成される。受納ユニット７０は、上部を除いた端部に沿って装着ジッパー７３が形成されて背当て部１０の装着ジッパー１１と結合される。そして、その上部には入口を調節できる締め部材７１が形成され、頭部保持部４０の結合部４１と結合される連結部材７２が形成される。
【００２１】
従って、受納ユニット７０を背当て部１０に取付ける場合、頭部保持部４０を折り返し、受納ユニット７０の端部に形成された装着ジッパー７３と装着ジッパー１１とを結合した後、頭部保持部４０と受納ユニット７０との結合部、例えば、ベルクロテープ４１、７２を利用して結合する。
次に、前記のように構成されたベビーキャリアの使用方法を説明する。
【００２２】
まず、保護者は、乳幼児の頭部は頭部保持部４０に、尻は尻受け部３０に、足はショルダーベルト２０の内側から外側に通過するように、乳幼児を位置させる。
以後、ショルダーベルト２０を掛け、自身と乳幼児が不便にならないようにショルダーベルト２０の長さを調節し、第１補助ベルト２２を利用してショルダーベルト２０が肩から外れないようにする。
【００２３】
このとき、長期間出掛けるために受納ユニットを必要とする場合、背当て部の装着ジッパー７３と装着ジッパー１１とを結合して受納ユニット７０を装着し、受納ユニット７０の収容空間に乳幼児に必要な牛乳ビンや手袋などの物品を受納した後、締め部材７１を締める。
また、夏には、受納ユニット７０や背当て板６０或いは裏面遮断ユニット１５や前面遮断ユニット１６を取り外すことにより、メッシュ状の背当て部１０によって円滑な通気効果を期待することができ、冬には、背当て板６０や裏面遮断ユニット１５を取付けることにより、保温効果を期待することができる。さらに、前面遮断ユニット１６と受納ユニット７０を取付けることにより、保温効果を一層高めることができる。なお、裏面遮断ユニット１５と受納ユニット７０の両方を取り付けるためには、装着ジッパー１１と平行して、さらにジッパーを設けることが好ましい。
【００２４】
以上のように、本発明によれば、暑い場合は通気性を持つ背当て部のみを用い、寒くなってくれば外部温度に従って前面遮断ユニット、背当て板、裏面遮断ユニット及び受納ユニットを選択的に組合せて適用すればよい。
また、構成部の殆どが着脱自在になされているので、汚染部分のみを取り外して洗濯できる。
【００２５】
上記では本発明の好適な実施例に基づいて説明したが、本発明の思想から逸脱しない範囲内で当業者により適切に変更や変形ができる。このような変更や変形は、本発明の精神から逸脱しない限り、本発明の権利範囲に属するものであることは当然のことである。    従って、本発明の技術範囲は明細書の詳細な説明に記載された内容に限定されるものではなく、特許請求の範囲により定められなければならない。
【図面の簡単な説明】
【００２６】
【図１】本発明の一実施例におけるベビーキャリアの斜視図である。
【図２】同ベビーキャリアの裏面の斜視図である。
【図３】同ベビーキャリアの分解斜視図である。
【符号の説明】
【００２７】
１０   背当て部
１２   開口部
１５   裏面遮断ユニット
１６   前面遮断ユニット
２０   ショルダーベルト
２１   連結リング
２２、２３    第１補助ベルト
３０   尻受け部
４０   頭部保持部
５０   唾受け部材
６０   背当て板
７０   受納ユニット
８０   補助頭部保持部
９０   第２補助ベルト
【図１】
2005193025.tif 000003
【図２】
2005193025.tif 000004
【図３】
2005193025.tif 000005